(57)【要約】【課題】ディスクカートリッジの小型化と、シャッタのロック解除及び開放動作を行うための機器側構成の簡素化を両立する。【解決手段】開口部閉時に中シェルの前面部側に形成された開放レバーと、上シェル及び下シェルの前面部側に開口部と連続して形成されたシェル切り欠き部とで囲まれて、前面部側に開放されたロック解除溝を設け、そこに駆動アームを挿入して移動させる一連の動作で、ロック解除とシャッタ開放動作を実現する。【選択図】  図１
2004246983.tif 000002
【特許請求の範囲】
【請求項１】
円弧状の曲線で構成された前面部と直線的に構成された側面部と複数の直線部あるいは曲線部の組み合わせで構成される背面部とからなる上シェルと、
内蔵するディスクの回転中心部から前記上シェルの前面部側にディスクの外周端部まで連通して形成され開口部を有する下シェルと、
前記上シェルと前記下シェル間に回転自在に格納されたディスクと、
前記上シェル下シェルに対し回動自在に支持され、前記開口部の一部を閉塞する開口部閉モードと、前記開口部を開放し前記ディスクを露出させる開口部開モードとを有する中シェルと、
前記中シェルの回動に連動し、前記開口部閉モードにおいて前記中シェルと共に前記開口部全域を閉塞させ、前記開口部開モードにおいては前記開口部から退避する複数のシャッタと、
前記中シェルを前記開口部閉モードの位置にて係止するロック手段とを有し、
前記ロック手段のロック解除部を、前記開口部閉モードにおいて前記中シェルの前記前面部側に形成された開放レバーと、前記上シェル及び下シェルの前記前面部側に前記開口部と連続して形成されたシェル切り欠き部とで囲まれて形成され、かつ前記ディスクカートリッジ前面部側に開放されたロック解除溝内に設けたことを特徴とするディスクカートリッジ。
【請求項２】
前記中シェルは、前記上シェルと前記下シェルにガイドされる略リング状のリング部と、前記リング部の外周面に形成される係止部とを有し、
前記ロック手段は、前記上シェルあるいは前記下シェルに対して回動自在に支持する回動支点と、前記中シェルの係止部と係合する鉤部とを有し、前記開口部の前記前面部側から前記中シェルの前記リング部に沿って、前記解除部、前記回動支点、前記鈎部の順で各部をリング部より外側に配置したことを特徴とする請求項１に記載のディスクカートリッジ。
【請求項３】
前記中シェルの前記リング部は、部分的に前記下シェル側が切り欠かれて高さの低くなった凹部を有し、
前記ロック手段の前記解除部は、前記中シェルの前記凹部より前記下シェル側に配置されると共に、ロック解除位置において前記凹部から前記中シェルの前記リング部内側に侵入可能に構成されたことを特徴とする請求項２に記載のディスクカートリッジ。
【請求項４】
前記中シェルの前記凹部は、前記開口部開モードにおいて前記開口部から露出する部分として設けられることを特徴とする請求項３に記載のディスクカートリッジ。
【請求項５】
前記ロック解除溝は、前記背面部側の壁面がシェル切り欠き部により構成され、前記壁面と前記上シェル側面とのなす角度が、略円形である前記中シェルの同位置での接線と前記上シェル側面とのなす角度より大きくなるよう構成することを特徴とする請求項１〜４のいずれかに記載のディスクカートリッジ。
【発明の詳細な説明】
【０００１】
【発明の属する技術分野】
本発明はディスク状記録媒体を保護して取り扱いを容易にするためのディスクカートリッジに関するものである。
【０００２】
【従来の技術】
近年、大容量の書き換え型光ディスクが登場し、ＰＣ用バックアップメディアやビデオレコーダ等の用途で急速に普及が進んでいる。しかしながらこのような高密度記録を行う光ディスクシステムでは、ディスクの記録面に付着したダストや指紋の影響が無視できず、正常な記録再生の妨げとなる。そのため書き換え型光ディスクは、通常ユーザに直接触られることのできないよう密閉構造をとったディスクカートリッジに格納されているものが多い。
【０００３】
このようなディスクカートリッジの一例として、特開２００１−３３２０５４号公報がある。以下、従来の技術の構成について図１２を用いて説明する。
【０００４】
図１２に示すように、一対の上シェル１３、中シェル１４及び下シェル１５を重ね合わせることによって形成されるカートリッジ筐体１２と、このカートリッジ筐体１２内に回転自在に収納される光ディスク１１中シェル１４及び下シェル１５に形成された開口部２５、４２を開閉する一対のシャッタ部材１８ａ、１８ｂ等を備えて構成されている。下シェル１５上シェル１３に形成された上下の凹陥部１９からなる円形の空間部内に中シェル１４が回転自在に収納されている。この下シェル１５の中央部には、前後方向に延在された開口部２５が設けられている。この開口部２５は、ディスク回転駆動機構のターンテーブルと光学ピックアップ装置の光学ヘッドを光ディスク１１に臨ませるためのもので、これらが自由に出入りできる広さに設定されている。
【０００５】
すなわち下シェル１５の開口部２５は、ターンテーブルが出し入れされる中央部に設定されたテーブル用開口部２５ａと、このテーブル用開口部２５ａの前後方向両側に延在されたヘッド用開口部２５ｂを有している。このような構成を有する上シェル１３と下シェル１５に中シェル１４が収納され、この中シェル１４と上シェル１３によって形成される空間に光ディスク１１が半径方向に所定のすきまを持たせて収納されている。この光ディスク１１は、中央部にセンター穴１１ａが設けられた厚みの薄い円板状の記録部材からなる。
【０００６】
また上下シェル１３、１５の一方の側縁部１３ｂ、１５ｂの略中央部には中シェル１４外周面の一部を露出させるための開口部３０ａ、３０ｂが設けられている。中シェル１４は円盤状の薄い板材からなる平面部４０と、この平面部４０の外周縁に連続して設けられたリング部４１とを有している。さらに中シェル１４の平面部４０には一対のシャッタ部材１８ａ、１８ｂを平面方向へ回動自在に支持するための一対の支持穴４９が設けられている。この一対の支持穴４９を介して中シェル１４に取り付けられるシャッタ機構１８は、２枚で一対のシャッタ部材１８ａ、１８ｂによって構成されている。このシャッタ部材１８ａ、１８ｂの一端部には軸部５２がそれぞれ設けられている。この軸部４２を中シェル１４の平面部４０の支持穴４９に勘合させることにより、各シャッタ部材１８ａ、１８ｂが中シェル１４にそれぞれ回動自在に取り付けられる。さらにシャッタ部材１８ａ、１８ｂには開閉溝５３がそれぞれ設けられている。各開閉溝５３には下シェル１５の操作凸部２７ａ、２７ｂ摺動可能に係合されている。
【０００７】
さらに、上シェルに設けた軸３５に対して回動可能なロック部材３２が、爪部３６を常に中シェル側に付勢されて取り付けられており、開口部２５を中シェル１４の平面部４０とシャッタ部材１８ａ、１８ｂで完全に密閉する位置では、中シェル１４のリング部４１に形成したギア部４３とロック部材３２の爪部３６が係合し、中シェル１４が容易に回動しないよう規制して開口部２５の密閉性を確保している。開口部２５を開放するためには、ディスクカートリッジの外形から露出したロック部材３２のレバー部３７を押してロック部材３２を回動させることで、爪部３６と中シェル１４のギア部４３との係合を解除させる。
【０００８】
【特許文献１】
特開２００１−３３２０５４号公報
【０００９】
【発明が解決しようとする課題】
しかしながら上記の構成では、ディスクカートリッジを使用する機器において、シャッタ機構の開放動作を行うために、中シェル１４を回転駆動するための部材と中シェル１４のロックを解除するためにロック部材３２のレバー部３７を押圧する部材を独立して設ける必要があり、機器の部品点数が増加する。また中シェル１４の駆動開始とロック部材３２のロック解除のタイミングを管理する必要があるため機構が複雑となって、特にビデオカメラ等の小型機器の開発における障害となるという問題点を有している。また、ディスクカートリッジ内でロック部材３２を中シェル１４の外側で構成する必要があるため、ディスクカートリッジの小型化の面でも不利となる問題点があった。
【００１０】
【課題を解決するための手段】
上記目的を達成するために本発明に係るディスクカートリッジは、円弧状の曲線で構成された前面部と直線的に構成された側面部と複数の直線部あるいは曲線部の組み合わせで構成される背面部とからなる上シェルと、内蔵するディスクの回転中心部から上シェルの前面部側にディスクの外周端部まで連通して形成され開口部を有する下シェルと、上シェルと下シェル間に回転自在に格納されたディスクと、上シェル下シェルに対し回動自在に支持され、開口部の一部を閉塞する開口部閉モードと、開口部を開放しディスクを露出させる開口部開モードとを有する中シェルと、中シェルの回動に連動し、開口部閉モードにおいて中シェルと共に開口部全域を閉塞させ、開口部開モードにおいては開口部から退避する複数のシャッタと、中シェルを開口部閉モードの位置にて係止するロック手段とを有するディスクカートリッジであり、ロック手段のロック解除部を、開口部閉モードにおいて中シェルの前面部側に形成された開放レバーと、上シェル及び下シェルの前面部側に開口部と連続して形成されたシェル切り欠き部とで囲まれて形成され、かつディスクカートリッジ前面部側に開放されたロック解除溝内に設けるよう構成したものである。
【００１１】
かかる構成により、中シェルの開放レバーの駆動アームをディスクカートリッジのロック解除溝に挿入することで中シェルのロックを解除し、そのまま駆動アームによるシャッタの開放動作を行うことが可能となり、ロック手段の解除と中シェルの駆動に独立した部材を用意する必要がなく、ディスクカートリッジを使用する機器の構成を簡素化して、部品点の削減及び機器の小型化が促進できる。
【００１２】
また、中シェルは、上シェルと下シェルにガイドされる略リング状のリング部と、リング部の外周面に形成される係止部とを有し、ロック手段は、上シェルあるいは下シェルに対して回動自在に支持する回動支点と、中シェルの係止部と係合する鉤部とを有し、開口部の前面部側から中シェルのリング部に沿って、解除部、回動支点、鈎部の順で各部をリング部外側に配置することが望ましい。
【００１３】
かかる構成により、機器側の駆動アームが解除溝に挿入されてロック手段の解除部を背面部に向かって押圧することで、ロック手段の鈎部は中シェルの係止部との係合を解除することができ、ロック手段構成の簡素化が可能である。
【００１４】
また、中シェルのリング部は、部分的に下シェル側が切り欠かれて高さの低くなった凹部を有し、ロック手段の解除部は、中シェルの凹部より下シェル側に配置されると共に、ロック解除位置において凹部から中シェルのリング部内側に侵入可能に構成されたことを特徴とするものである。
【００１５】
かかる構成により、中シェルのリング部内側の空間も利用してロック手段を構成することで、円弧状の前面部のわずかな空間でスペース効率の良いロック手段を実現することができる。
【００１６】
また、中シェルの凹部は、開口部開モードにおいて開口部から露出する部分として設けられることが望ましい。
【００１７】
かかる構成により、ディスクとヘッドの相対距離を非常に近づける必要があるなどのディスクフォーマットの関係で、開口部開モード時にヘッドとディスクカートリッジの接触を防ぐため必然的に上シェル及び中シェルに切り欠き部が必要となる場合には、特にロック手段のために別途切り欠き部を設けることなくスペース効率の良いロック手段を実現できる。
【００１８】
また、ロック解除溝は、背面部側の壁面がシェル切り欠き部により構成され、壁面と上シェル側面とのなす角度が、略円形である中シェルの同位置での接線と上シェル側面とのなす角度より大きくなるよう構成することが望ましい。
【００１９】
かかる構成により、シャッタを開動作時に中シェルの開放レバーを機器側の回動式の駆動アームで押していく場合に、駆動開始点での圧力角を抑えて滑らかなシャッタ開放動作が可能となる。
【００２０】
【発明の実施の形態】
以下、本発明の実施の形態１について図面を用いて説明する。図１〜図４は、機器に装着されない状態のディスクカートリッジの構成を示す。図５〜図６は、ロック部材の動作状態を示す。図７〜図１０は、機器に挿入される過程でのシャッタ開放動作に伴うディスクカートリッジの動作を示す。図１１は、シャッタの開放動作開始点の機器側アームとディスクカートリッジの当接状態を示す。
【００２１】
まず図１及び２でディスクカートリッジ構造の概略を説明する。ディスクカートリッジ６は、下シェル１と上シェル２を重ね合わせて形成される空間内に、回動自在に格納されたディスク５、クランパ７及びディスクの誤消去防止検出に用いる誤消去防止片１１と、下シェルに形成された開口部８を開閉する中シェル３とシャッタ４から構成される。
【００２２】
下シェル１も上シェル２も図１及び２に示す如くほぼ同一形状同一サイズのものである。下シェル１、上シェル２は、円弧状の曲線で構成された曲線部１ａ、２ａと直線的な形状である左右の側面部１ｂ、１ｃ、２ｂ、２ｃと曲線部１ａ、２ａに対峙した背面部１ｄ、２ｄと上シェル２の天面部２ｇ及び下シェル１の底面部１ｇから構成される。上シェル２は、円弧状のリブ２ｅが形成され、中シェル３のリング部３ａの内周面３ｈと摺動するよう配設されて、中シェル３を回動自在に支持している。中シェル３は、図１及び２に示す様な形状をなし、平面部３ｃが設けられている。平面部３ｃの裏面は、図２に示すシャッタ軸３ｅが形成されている。シャッタ軸３ｅには、シャッタ４の軸受け４ａが係合しており、シャッタ４は中シェル３に対して回動自在に支持されている。またシャッタ４にはガイド軸４ｄが形成されている。ガイド軸４ｄは、図１に示す下シェル１のガイド溝１ｆに係合する。このガイド溝１ｆは、下シェル１の底面部１ｇに形成されているが、貫通した孔ではなく、窪み形状となっている。また、一方の側面部１ｂと背面部１ｄに近接した位置には、シャッタ収納部１ｋが構成されている。下シェル１には、開口部８が形成されている。この開口部８は、ディスク回転駆動機構のターンテーブルと光学ピックアップ装置の光学ヘッドを光ディスク５に臨ませるもので、これらが自由に出入りできる広さに設定されている。それはターンテーブルが出し入れされる中央部に設けられたテーブル用開口部８１と、光学ヘッドが出し入れされる曲線部１ａに延伸したヘッド用開口部８２で構成されている。
【００２３】
図１に示されるように、開口部８の曲線部１ａ側から露出する中シェル３には、開閉レバー３ｉが設けられ、この開閉レバー３ｉを記録再生装置により駆動することで、中シェル３は所定角度回転させることができる。また中シェル３は、上シェル２との間に架張される中シェルバネ（図示せず）により常時中シェル３の平面部３Ｃが開口部８の外周部を閉塞する方向に付勢されており、記録再生装置での開放レバー３ｉの規制を解除すれば、中シェル３は図２の閉塞位置に自動的に復帰する。また、中シェル３の開閉レバー３ｉ近傍に、開口部８を覆う位置に中シェル３を係止するロック部材９が配置され、外部から不用意に中シェル３及びそれと連動したシャッタ４を開放させることを防止する。ロック部材９は、下シェル１に設けられたロック軸１ｈを回動中心に、下シェルの側面１ｂ側に中シェル３のリング部３ａの外周面３ｊに形成された係止部３ｋと係合するフック９１が、開口部８側に機器側のロック解除部材（図示せず）と当接するロック解除レバー９２が設けられる。またロック部材９は、ロックバネ（図示せず）によりフック９１が中シェル３のリング部３ａに向かう方向に常時付勢されている。このロック部材９は、開口部閉モードにおいて、中シェル３のリング部３ａに設けられた切り欠き部３ｍの下シェル１側に配置されている。この切り欠き部３ｍは、中シェル３が開口部開モード時に、開口部を包含するだけの幅の凹形状となっており、挿入される記録再生装置のヘッド動作に支障がないだけの高さをヘッド用開口部８２に確保している。
【００２４】
図３は、ディスクカートリッジ６が記録再生装置に装着される前の状態で下シェル１側から見た図である。下シェル１の開口部８は、中シェル３の平面部３ｃとシャッタ４が位置し、開口部８全体を覆っている。また、開口部８の下シェル側面１ｂ側に切り欠き部１ｉが開口部８と連続して形成され、中シェル３の開閉レバー３ｉと切り欠き部１ｉとで囲われて、下シェル１前方の曲線部１ａ側に開放されたロック解除溝６ａが構成される。またロック解除レバー９２がロック解除溝６ａから外部に露出している。
【００２５】
この状態で上シェル２と光ディスク５、クランパ７を取り除き、上シェル２側から見たものが、図４である。中シェル３は、下シェル１および上シェル２にリング部３ｄが支持された状態で最も反時計方向に回動した状態で、ロック部材９により位置決めされている。シャッタ４は図３に示す様に開口部８の主にテーブル用開口部８１を覆っている。また中シェル３はディスク５の外周端部を含む開口部８の主にヘッド用開口部８２を覆う。
【００２６】
次に、ディスクカートリッジ６が記録再生装置に挿入されることにより、機器側に設けられているシャッタ開閉機構によって行われる、シャッタロック解除とシャッタ開放動作を説明する。説明には、ディスクカートリッジ６の上シェル２と光ディスク５を取り除き、上シェル２側から見た、図５〜１０を用いる。図５及び６は、特にロック部材９の近傍を拡大した図である。
【００２７】
図５及び図７に示すように、機器内へディスクカートリッジが挿入される過程で、機器側のシャッタ開放アーム１０に取り付けられた解除ピン１０ａが、ディスクカートリッジ６のロック解除溝６ａに挿入される。さらにディスクカートリッジ６が挿入されると、解除ピン１０ａはロック解除溝６ａの奥に露出したロック解除レバー９２を押圧し、ロックバネ（図示せず）の反力に抗してロック部材９を回動させる。ロック解除レバー９２の位置に対し、回動中心である下シェル１上のロック軸１ｈと、中シェル３の係止部３ｋと係合するフック９１とが、中シェル３のリング部３ａの外側に下シェル側面部１ｂ側方向に順に並んで配置されていることにより、解除ピン１０ａが挿入される下シェル前面部１ａから背面部１ｄに向かう方向にロック解除レバー９２を駆動することで、ロック部材９はフック９１が中シェル３の外周面３ｊから離間する方向に回動して、係止部３ｋとの係合を解除することができる。ここで図６及び図８に示す通り、解除ピン１０ａがロック解除溝６ａの奥側面６ｂまで達した状態では、ロック部材９はフック９１が中シェル３の係止部３ｋから十分離れた位置となり、中シェル３のロックは解除される。この後ディスクカートリッジが挿入されていくと、解除ピン１０ａは中シェル３の開閉レバー３ｉに当接し、開閉レバー３ｉを押圧していくことで、中シェル３の回動を行う。
【００２８】
このように、解除ピン１０ａがロック解除溝６ａに挿入されていく一連の動作でロックの解除とシャッタ開放動作が可能となっており、記録再生装置はシャッタ開放アーム１０のみを配するシンプルな構造で、シャッタ開閉機構を構成することが可能となっている。
【００２９】
また図１及び２に示すように、開口部閉モードにおいてロック部材９を中シェル３の切り欠き部３ｍの下シェル側かつディスク５に必要な占有空間より下方で構成しているため、ロック部材９の動作により中シェル３との干渉が生じることはない。
【００３０】
さらに、ディスクカートリッジ６の厚さ方向の制約が大きく、ディスク５の占有空間より下方のみでロック部材９が配置できない場合は、ロック部材９を主に切り欠き部３より下シェル１側かつ下シェル前面部１ａ側に配置して、ロック解除レバー９２は、通常のロック位置では中シェル３のリング部３ａより外側に位置し、ロック解除位置においてのみ切り欠き部３ｍから中シェル３のリング部３ａ内部に侵入するよう構成することも可能である。この場合には、ロック解除部材９がロック解除位置をとる開口部閉モード時にのみ、切り欠き部３ｍの位置がロック解除レバー９２と一致するように配置しておけばよい。この構成によって、前面部１ａが円弧形状で構成されており、開口部８の側面部近傍で下シェル１と中シェル３の間に空間が少ないディスクカートリッジ６においても、空間を効率よく使ってロック解除レバー９２に十分な解除ストロークを確保してロック部材９を配置でき、さらにカートリッジを薄型化も実現できる。
【００３１】
またこのディスクカートリッジ６のように、開口部開モード時にヘッド用開口部８２に必要な高さ確保するため切り欠き部３ｍが必須であれば、その形状を利用することで、ロック解除レバー９２との干渉を回避するために専用の切り欠きを設ける必要がなく、中シェル３のリング部３ａの強度をより下げてしまうことはない。
【００３２】
この中シェル３の回動初めの位置である図８の状態において、解除ピン１０ａは下シェル１及び上シェル２で構成されるロック解除溝６ａの奥側面６ｂ上を滑りながら移動する。ここで図１１（ａ）に示すように、奥側面６ｂと下シェル１の側面１ｂとのなす角度はほぼ９０度である角度θ１に設定されている。これは図１１（ｂ）に示すような奥側面６ｂが中シェル３で構成される場合に比較すると、中シェル３の外周面３ｊで構成される奥側面６ｂと解除ピン１０ａとの接線と下シェル１の側面１ｂとのなす角度θ２と、図１１（ａ）に示すθ１の関係はθ１＞θ２である。この時、解除アーム１０と奥側面６ｂの間の圧力角を比較すると、図１１に示す両者の圧力角の関係はα＜βとなり、本実施例の構成の方が圧力角は小さく、最も解除アーム１０の圧力角が厳しい位置において中シェル３を滑らかに駆動することが可能となっている。
【００３３】
さらにディスクカートリッジ６が挿入されていくと、解除ピン１０ａは、中シェル３と上シェル２の間に架張された中シェルバネ（図示せず）を伸ばす荷重に抗して開閉レバー３ｉを押しながら奥側面６ｂ上を移動し、奥側面６ｂが途切れたところからは、図９に示すように中シェル３の外周面３ｊに移って開閉レバー３ｉを押し続けて中シェル３を回動させる。この中シェル３の回動動作により、中シェル３の平面部３ｃは下シェル１の底面部１ｇの内側に入り込む方向に移動すると共に、シャッタ４は、中シェル３のシャッタ軸３ｅが移動することでシャッタ４の軸受け４ａが駆動され、シャッタ４のガイド軸４ｅが下シェル１のガイド溝１ｆに案内されつつ移動し、中シェル３とは反対方向の下シェル１の底面部１ｇ内側に収納されていき、図９に示すように下シェル１の開口部８の一部が開放され始める。
【００３４】
図１０に示す中シェルが略５５度回動した状態で、開閉レバー３ｉが下シェル１に当接する位置で開閉アーム１０は規制され中シェル３は停止する。この状態で、中シェル３の平面部３ｃは完全に下シェル１の開口部８から平面的に離間する。またそれに伴って中シェル３に回動自在に支持されたシャッタ４は、下シェル１の一方の側面部１ｂと背面部１ｄに近接した位置に設けられたシャッタ収納部１ｋに移動させられ、ディスク面部４ｃもまた開口部８から離間する。結果、開口部８は完全に開放された開口部開モードとなり、ターンテーブルと光学ヘッドが挿入可能となる。
【００３５】
逆に機器からディスクカートリッジが排出される過程では、機器側のシャッタ開放アーム１０の規制が解除されると、中シェル３は、中シェル３に架張された中シェルバネ（図示せず）により、解除ピン１０ａを押し戻しながら図９で反時計回りに回動し、それにつれてシャッタ４もガイド溝１ｆに沿って移動する。この過程で中シェル３の係止部３ｋはロック部材９のフック９１と当接するが、この位置で中シェルバネ（図示せず）の発生する荷重は、ロックバネ（図示せず）によりロック部材９が中シェル３の外周面３ｊを押圧することで生じる摩擦力を上回るよう設定されており、ロック部材９は中シェル３の係止部３ｋに押されて回動退避しする。よって中シェル３は反時計回りに回動を続け、図１０の状態から略５５度回動した位置で係止部３ｋとロック部材９のフック９１が係合し、結果として図７に示すようにシャッタ４と中シェル３は開口部８を覆った開口部閉モードで中シェル３及びシャッタ４はロックされる。
【００３６】
【発明の効果】
以上のように、本発明に係るディスクカートリッジによれば、下シェルの開口部を密閉するシャッタ機構のロック解除部を、開口部閉モードにおいて中シェルの前面部側に形成された開放レバーと、上シェル及び下シェルの前面部側に開口部と連続して形成されたシェル切り欠き部とで囲まれて形成され、かつディスクカートリッジ前面部側に開放されたロック解除溝内に設けることで、ロック手段の解除と開放レバーによるシャッタ開放動作を機器側の一つの部材による一連の動作で可能とし、ディスクカートリッジを使用する機器の構成を簡素化して、部品点数の削減及び機器の小型化が促進できる。
【００３７】
また、中シェルのリング部に設ける凹部の下シェル側にロック手段の解除部を配置し、ロック解除時には一時的に解除部がリング部より内側に侵入可能な構成とすることで、ロック手段をスペース効率良く配置してディスクカートリッジ前面部を半円に近い円弧形状とすることが可能となり、ディスクカートリッジの小型化と機器側の構成簡素化を両立できる。
【００３８】
さらに、ロック解除溝の背面部側の壁面が上下シェルにより構成され、壁面と上シェル側面とのなす角度が、略円形である中シェルの同位置での接線と上シェル側面とのなす角度より大きくなるよう構成することで、中シェルの開放レバーを機器側の回動式の駆動アームで押していく場合に、駆動開始点での圧力角を抑えて滑らかなシャッタ開放動作が可能となる。
【図面の簡単な説明】
【図１】本発明のディスクカートリッジの分解斜視図（上シェル側視点）
【図２】本発明のディスクカートリッジの分解斜視図（下シェル側視点）
【図３】本発明のディスクカートリッジの密閉状態での底面図
【図４】本発明のディスクカートリッジの密閉状態での内部構造を示す上面図
【図５】本発明のディスクカートリッジのシャッタロック状態を示す上面図
【図６】本発明のディスクカートリッジのシャッタロック解除状態を示す上面図
【図７】本発明のディスクカートリッジのシャッタ開放動作のロック解除直前の状態を示す上面図
【図８】本発明のディスクカートリッジのシャッタ開放動作のロック解除状態を示す上面図
【図９】本発明のディスクカートリッジのシャッタ開放動作のシャッタ開放途中を示す上面図
【図１０】本発明のディスクカートリッジのシャッタ開放動作の完了状態を示す上面図
【図１１】本発明のディスクカートリッジのシャッタ開放初期状態の上面図
【図１２】従来の技術によるディスクカートリッジの分解斜視図
【符号の説明】
１  下シェル
２  上シェル
３  中シェル
４  シャッタ
５  光ディスク
６  ディスクカートリッジ
８  開口部
９  ロック部材
【図１】
2004246983.tif 000003
【図２】
2004246983.tif 000004
【図３】
2004246983.tif 000005
【図４】
2004246983.tif 000006
【図５】
2004246983.tif 000007
【図６】
2004246983.tif 000008
【図７】
2004246983.tif 000009
【図８】
2004246983.tif 000010
【図９】
2004246983.tif 000011
【図１０】
2004246983.tif 000012
【図１１】
2004246983.tif 000013
【図１２】
2004246983.tif 000014
【手続補正書】
【提出日】平成15年3月10日(2003.3.10)
【手続補正１】
【補正対象書類名】明細書
【補正対象項目名】０００４
【補正方法】変更
【補正の内容】
【０００４】
図１２に示すように、一対の上シェル１３，中シェル１４及び下シェル１５を重ね合わせることによって形成されるカートリッジ筐体は、筐体内に回転自在に収納される光ディスク１１、中シェル１４及び下シェル１５に形成された開口部２５を開閉する一対のシャッタ部材１８ａ、１８ｂなどを備えて構成されている。下シェル１５上シェル１３に形成された上下の凹陥部１９からなる円形の空間部内に中シェル１４が回転自在に収納されている。この下シェル１５の中央部には、前後方向に延在された開口部２５が設けられている。この開口部２５は、ディスク回転駆動機構のターンテーブルと光学ピックアップ装置の光学ヘッドを光ディスク１１に臨ませるためのもので、これらが自由に出入りできる広さに設定されている。